(57)【特許請求の範囲】
【請求項１】
容器又は包装体内に、連続して取り出すことが可能な形態で収納される、ウェットティッシュの積層体において、
前記ウェットティッシュは、一方の面が他のウェットティッシュに対する密着力の低い面で、他方の面が前記一方の面よりも他のウェットティッシュに対する密着力の高い面であり、
それぞれのウェットティッシュは、両端が中央部へ向けて同じ側に折り返されて、折り返された第１の折片および第２の折片と、その間の中間面とを有し、第１の折片の密着力の高い面と中間面の密着力の高い面が対向し、第２の折片の密着力の高い面と中間面の密着力の高い面が対向するように折られており、
上位のウェットティッシュの中間面と第２の折片との折り返し部が、次に連続する中位のウェットティッシュの第１の折片と中間面との間に挟まれ、
前記中位のウェットティッシュの中間面と第２の折片との折り返し部が、さらに次に連続する下位のウェットティッシュの第１の折片と中間面との間に挟まれて、前記の上位、中位、下位の組み合わせが繰り返しており、
前記上位のウェットティッシュの第２の折片の密着力の低い面と、前記中位のウェットティッシュの第１の折片の密着力の高い面とが対面し、且つ前記上位のウェットティッシュの中間面の密着力の低い面と、前記中位のウェットティッシュの中間面の密着力の高い面とが対面していることを特徴とするウェットティッシュの積層体。
【請求項２】
前記上位のウェットティッシュの中間面の密着力の低い面と、前記下位のウェットティッシュの第１の折片の密着力の低い面とが対面している請求項１記載のウェットティッシュの積層体。
【請求項３】
前記ウェットティッシュの各折片の折り幅寸法が、共にティッシュの幅寸法のほぼ１／４である請求項１または２記載のウェットティッシュの積層体。
【請求項４】
容器または包装体内に請求項１ないし３のいずれかに記載のウェットティッシュの積層体を収納したウェットティッシュ製品であって、
容器または包装体は取出口を有しており、
ウェットティッシュの積層体は、第１の折片が取出口に対面するようにして収納されていることを特徴とするウェットティッシュ製品。
【請求項５】
容器または包装体内に請求項１ないし３のいずれかに記載のウェットティッシュの積層体を収納したウェットティッシュ製品であって、
容器または包装体は取出口を有しており、
ウェットティッシュの積層体は、中間面が取出口に対面するようにして収納されていることを特徴とするウェットティッシュ製品。
【請求項６】
ウェットティッシュの第１の折片と、他のウェットティッシュの第２の折片との重なり部では、前記第２の折片の縁が、前記第１の折片の縁よりも突出している請求項５記載のウェットティッシュ製品。
【発明の詳細な説明】
【０００１】
【発明の属する技術分野】
本発明は、容器又は包装体内に収容されるウェットティッシュの積層体、並びにそのウェットティッシュの積層体を容器又は包装体内に収納したウェットティッシュ製品に関する。
【０００２】
【従来の技術及び解決しようとする課題】
一般に多用されているウェットティッシュは、未使用時又は使用していないときに湿潤状態を維持するため、容器又は包装体内に密封して収納される。このようなウェットティッシュにおいては、容器又は包装体に設けられた取出口から順次連続して取出すことができるように、複数のウェットティッシュが上下に組み合わされ、且つ互いに重なった部分を持つようにして積層されている。最上部に位置するウェットティッシュを取り出すと、次に連続するウェットティッシュの一部が容器の取出口より突出する。これは、一般にポップアップ方式と呼ばれている。このポップアップ方式のウェットティッシュの積層体の従来例を説明する。
【０００３】
図９に示した従来のウェットティッシュの積層体は、次のようにして形成される。まず、図７（Ａ）に示すようにウェットティッシュ６１Ａをその中央線６４を折り目として二つに折り畳み、図７（Ｂ）に示すような形状のウェットティッシュ６１Ｂを得る。図９では、ウェットティッシュ６１Ｂを一枚ずつ左右対称に向かい合わせ、上位のウェットティッシュ６１Ｂの下片６３を、次に連続するウェットティッシュ６１Ｂの上片６２と下片６３との間に挟むようにして積層している。
【０００４】
上位のウェットティッシュ６１Ｂを取り出すと、そのウェットティッシュ６１Ｂの下片６３の取出口側で重なって接触している次に連続するウェットティッシュ６１Ｂの上片６２が、一緒に取出口側へと持ち上げられて取出口から引き出される。よって、次に連続するウェットティッシュ６１Ｂの上片６２が取出口から突出して、取出口から順に一枚ずつ取り出せるようになる。
【０００５】
しかし、図９では上下に組み合わされているウェットティッシュにおいて、その端部で互いに重なり合っている面積が、ウェットティッシュ一枚の面積の約半分であり大きくなっている。すなわち、上下のウェットティッシュの重なり面積がティッシュの幅寸法のほぼ１／２であるため、上位のウェットティッシュを取り出したときに、次に連続するウェットティッシュが取出口から突出する寸法はティッシュの幅寸法のほぼ１／２となり、非常に長くなる。
【０００６】
ウェットティッシュの取出口からの突出量が長いと、容器又は包装体に通常設けられている取出口を覆う蓋の面積内にティッシュの突出部が収まらなくなり、蓋からはみ出す部分が生じる。そして、このはみ出している部分でウェットティッシュが乾燥してしまう。また、ウェットティッシュが蓋からはみ出すと蓋を確実に閉められなくなり、容器又は包装体内の密閉度が低下し、内部のウェットティッシュも乾燥しやすくなる。
【０００７】
図１０に他の従来例を示す。図１０に示したウェットティッシュの積層体は次のようにして形成される。図８（Ａ）に示すウェットティッシュ７１Ａをほぼ三等分する線７５、７６を折り目として、端部をそれぞれ反対側の面に折り返して、図８（Ｂ）に示すような形状のウェットティッシュ７１Ｂを得る。そして、図１０に示すように、上位のウェットティッシュ７１Ｂの下片７２が、次に連続するウェットティッシュ７１Ｂの上片７４と中間面７３とで挟まれるようにして積層されている。
【０００８】
この構成においては、上下のウェットティッシュの端部において互いに重なり合っている面積がウェットティッシュ一枚の面積のほぼ１／３となるため、次に連続するウェットティッシュの取出口からの突出量が図９に示した従来例に比べると短くなる。しかし、ウェットティッシュ７１Ｂは３つ折になっているため、複数枚重ねたときの積層体が厚くなってしまう。
【０００９】
さらに、特開平７−２１３４５３号公報には、連続取り出しができるウェットティッシュの折り畳み構造が開示されている。この折り畳み構造を図１１に示す。これは図７（Ｂ）に示したウェットティッシュの下片６３を折り返し部６５に沿ってさらに半分に折り畳み、図７（Ｃ）に示すウェットティッシュ６１Ｃを得る。そして、図１１に示すように、ウェットティッシュ６１Ｃを一枚ずつ左右対称に向かい合わせ、上位のウェットティッシュ６１Ｃの上片６２と中間面６６とで、次に連続するウェットティッシュ６１Ｃの上片６２を挟むようにして積層されている。
【００１０】
最上位のウェットティッシュ６１Ｃ１を引き出すとき、次に連続するウェットティッシュ６１Ｃ２の上片６２の右半分が、最上位のウェットティッシュ６１Ｃ１の中間面６６とともに取出口へと持ち上げられて引き出される。したがって、ウェットティッシュ６１Ｃ２の上片６２の端部側半分が取出口から突出する。すなわち、この構成では、次に連続するウェットティッシュの取出口からの突出がティッシュの幅寸法のほぼ１／４となり、突出量として適度なものとなる。また、複数枚重ねたときに積層体がさほど厚くならない。
【００１１】
しかし、図１１に示すウェットティッシュの積層体を構成する折り畳まれたウェットティッシュ６１Ｃは、まず、ウェットティッシュの幅方向の中央線６４で折り畳まれた後、さらに下片６３のみが折り返し部６５で折り返されて形成される。したがって、ウェットティッシュ６１Ｃの幅方向の中心が、広げた状態のウェットティッシュ６１Ａの幅方向の中心と一致しない。このように、折り畳まれる前のウェットティッシュ６１Ａの中心と、折り畳まれた後のウェットティッシュ６１Ｃの中心とが異なっていると、折り畳み工程へ向けて供給するウェットティッシュの中心を幅方向へずらして案内することが必要となる。したがって、ライン上で折れ線を正しい位置に調整して安定させることは難しく、また大変手間がかかる。
【００１２】
したがって、折り畳み工程においてウェットティッシュの中心がずれやすく、その結果中央線６４、または折り返し部６５の位置がずれやすい。このように折目寸法のずれが生じると、図１１において上下のウェットティッシュの重なり部が正確に１／４にならず、よって取出口からのウェットティッシュの突出量が一定にならない。さらに、図１１に示す積層体において、上位のウェットティッシュの折り返し部６５と下位のウェットティッシュの折り返し部６５が重なる状態が発生し、その結果、積層体の中央部が厚くなってしまうことがある。
【００１３】
本発明は上記従来の課題を解決するものであり、ウェットティッシュを引き出したとき、次に連続するウェットティッシュの突出量が少ないウェットティッシュの積層体及びその製品を提供することを目的としている。
本発明のさらなる目的は、突出量を常に一定にできるウェットティッシュの積層体及びその製品を提供することにある。
【００１４】
【課題を解決するための手段】
上記従来の課題及び目的は、容器又は包装体内に、連続して取り出すことが可能な形態で収納される、ウェットティッシュの積層体において、
前記ウェットティッシュは、一方の面が他のウェットティッシュに対する密着力の低い面で、他方の面が前記一方の面よりも他のウェットティッシュに対する密着力の高い面であり、
それぞれのウェットティッシュは、両端が中央部へ向けて同じ側に折り返されて、折り返された第１の折片および第２の折片と、その間の中間面とを有し、第１の折片の密着力の高い面と中間面の密着力の高い面が対向し、第２の折片の密着力の高い面と中間面の密着力の高い面が対向するように折られており、
上位のウェットティッシュの中間面と第２の折片との折り返し部が、次に連続する中位のウェットティッシュの第１の折片と中間面との間に挟まれ、
前記中位のウェットティッシュの中間面と第２の折片との折り返し部が、さらに次に連続する下位のウェットティッシュの第１の折片と中間面との間に挟まれて、前記の上位、中位、下位の組み合わせが繰り返しており、
前記上位のウェットティッシュの第２の折片の密着力の低い面と、前記中位のウェットティッシュの第１の折片の密着力の高い面とが対面し、且つ前記上位のウェットティッシュの中間面の密着力の低い面と、前記中位のウェットティッシュの中間面の密着力の高い面とが対面していることを特徴とするウェットティッシュの積層体によって達成される。
【００１５】
本発明のウェットティッシュの積層体では、ウェットティッシュを引き出したときに、次に連続するウェットティッシュを取出口から確実に突出させ、且つ突出する量を適度なものとすることができる。
【００１６】
また、本発明のウェットティッシュの積層体では、ウェットティッシュの各折片の折り幅寸法が、共にティッシュの幅寸法のほぼ１／４であることが好ましい。ウェットティッシュを引き出したとき、次に連続するウェットティッシュの取出口からの突出量がウェットティッシュの幅寸法のほぼ１／４となり、突出量として適度なものとなる。
【００１８】
上位のウェットティッシュの中間面と折片とが面接触している部分で、密着力の高い面どうしを互いに対面させると、上位のウェットティッシュの中間面と次に連続する中位のウェットティッシュの中間面とが接触している部分は、密着力の低い面と密着力の高い面とが対面することになり、ウェットティッシュどうしが比較的分離しやすい。また、上位のウェットティッシュの中間面と、中位のウェットティッシュのさらに下で連続する下位のウェットティッシュの第１の折片とが接触している部分は、密着力の低い面どうしが対面するので、ここでもウェットティッシュどうしが分離しやすい。
【００１９】
よって、上位のウェットティッシュを取出口から引き出すときに、上位のウェットティッシュの第２の折片はそのウェットティッシュの中間面に強く密着して取出口から引き出され、且つ次に連続する中位のウェットティッシュの中間面並びに下位のウェットティッシュの第１の折片とは比較的容易に分離する。したがって、次に連続するウェットティッシュの第１の折片のみが取出口へと持ち上げられて突出する。すなわち、ウェットティッシュを引き出したとき、中位のウェットティッシュの中間面や、下位のウェットティッシュの第１の折片が、上位のウェットティッシュに密着して取出口へ引き出されることがない。
【００２０】
本発明のウェットティッシュの積層体は、容器又は包装体内に収納されて製品として販売される。容器、又は包装体に設けられるウェットティッシュの取出口は、ウェットティッシュを容易に取り出すことができるように、折り畳まれたウェットティッシュの面の中央部分に対面する位置に設けられていることが好ましい。また、ウェットティッシュの積層体は、第１の折片が取出口に対面するようにして容器又は包装体内に収納されることが好ましい。
【００２１】
または、ウェットティッシュの積層体を、中間面が取出口に対面するようにして容器または包装体内に収納させてもよい。取出口側のウェットティッシュを引き出すと、次に連続するウェットティッシュの第２の折片の端部を容器又は包装体内に残した状態で、その第２の折片と中間面のほぼ半量とが取出口へとループ状に突出する。この場合、ウェットティッシュの突出が見た目に美しいものとなる。
【００２２】
【発明の実施の形態】
以下、本発明を図面を参照しながら説明する。図１（Ａ）（Ｂ）は本発明のウェットティッシュの積層体を構成するウェットティッシュの折り畳み方を示す斜視図、図２はウェットティッシュの組み合わせ方を説明する断面図、図３は本発明のウェットティッシュ製品を示す断面図である。
【００２３】
本発明のウェットティッシュ１１について述べる。図１（Ａ）に示す長方形のウェットティッシュの端部を、長辺方向の端部からほぼ１／４に位置する折り返し部１５、１６に沿って、それぞれ同じ側に折り返す。得られたウェットティッシュ１１は図１（Ｂ）に示すような変形したＣ字形状となる。ウェットティッシュ１１では、折り返し部１５、１６を境にして一方の折片を第１の折片１２、他方を第２の折片１４とし、その折片１２と折片１４との間に挟まれる面を中間面１３とする。
【００２４】
上記のようにして得られたウェットティッシュ１１は、図２に示すように、それぞれ一枚ずつ左右交互に端部が重ねられて積層されている。最上位にあるウェットティッシュ（上位のウェットティッシュ）１１ａの中間面１３と第２の折片１４とを形成する折り返し部１６が、上から二番目に位置するウェットティッシュ（中位のウェットティッシュ）１１ｂの第１の折片１２と、中間面１３との間のみに挟まれる。さらに、二番目のウェットティッシュ１１ｂの中間面１３と第２の折片１４とを形成する折り返し部１６が、上から三番目に位置するウェットティッシュ（下位のウェットティッシュ）１１ｃの第１の折片１２と、中間面１３との間のみに挟まれる。同様にして、上位、中位、下位、上位、中位、下位…となるように複数のウェットティッシュが順に組み合わされて、図３に示すようなウェットティッシュの積層体３０を得る。この積層体３０は、例えば５０枚や１００枚等、多数のウェットティッシュを組み合せて構成される。
【００２５】
図３では、ウェットティッシュの積層体３０が、ウェットティッシュの取出口３６を設けた容器３５に収納されて、ウェットティッシュ製品を構成している。取出口３６には、最上位のウェットティッシュ１１ａの第１の折片１２の端部１７が面している。取出口３６から最上位のウェットティッシュ１１ａを、端部１７の部分をつまんで引き出す。すると、次に連続する二番目のウェットティッシュ１１ｂの第１の折片１２が、最上位のウェットティッシュ１１ａの第２の折片１４とともに取出口３６の方向へと持ち上げられ、二番目のウェットティッシュの第１の折片１２が取出口３６より突出する。また、二番目のウェットティッシュを引き出したときも同様に、三番目のウェットティッシュの第１の折片１２が取出口３６より突出する。
【００２６】
以上のようにして、本発明のウェットティッシュの積層体３０では、上位にあるウェットティッシュを引き出すと、次に連続するウェットティッシュの第１の折片１２が順次取出口３６から突出する。このときに取出口３６から突出する次に連続するウェットティッシュの寸法は、上位のウェットティッシュの第２の折片に対して取出口側で重なって接触している量と等しくなる。すなわち、第１の折片１２の幅寸法がティッシュの幅寸法のほぼ１／４であると、取出口３６からの突出量もほぼ１／４となる。
【００２７】
このように、上位にあるウェットティッシュを引き出したとき、次に連続するウェットティッシュの突出量が短くしかも安定するため、取出口３６より突出するウェットティッシュが乾燥することが少なく、また見た目にも美しい。さらに取出口３６の周囲を覆う蓋が設けられているものでは、取出口３６から突出したウェットティッシュが閉じられた蓋の面積内に収まりやすくなり、取出口３６を蓋で密封しやすい。
【００２８】
また、ウェットティッシュ１１の第１の折片１２と第２の折片１４がティッシュの幅寸法のほぼ１／４である。したがって、上記ウェットティッシュの積層体３０では、その全体の高さが、図９に示すような複数のウェットティッシュを全て二つ折りして積み重ねたものよりも極端に高くなることがない。また、積層体の厚みは、折り畳まれたウェットティッシュの端部や中央部で殆ど変わらない。したがって、形の整ったものとなる。
【００２９】
図４は、図３における容器３５に収納されたウェットティッシュの積層体３０を外側から見た斜視図である。取出口３６は、容器３５の上面のほぼ中央部分に設けられている。すなわち、容器３５に収納されたウェットティッシュの積層体３０を構成する折り畳まれたウェットティッシュの面の中央部分に対面する位置に取出口３６が設けられている。そして、取出口３６からウェットティッシュ１１の端部１７が現れている。使用者が、未使用の本発明のウェットティッシュ製品を初めて使用するとき、ウェットティッシュ１１の端部１７が取出口３６に現れているので、その端部１７を摘まんでウェットティッシュ１１を第１の折片から容易に引き出すことができる。取出口３６には、上位のウェットティッシュを引き出したとき、次に連続するウェットティッシュが上位のウェットティッシュに引きずられて必要以上に取出口３６から引き出されてしまうことを防止する、いわゆる抵抗部としての機能をもたせることができる。
【００３０】
本発明のウェットティッシュの積層体３０の製造工程では、長い帯状の紙材が連続供給されてブレードを用いて折り畳まれる。この帯状の紙材が複数枚図２に示す形態で組み合わされた後に、個々の積層体３０の長さに切断される。
【００３１】
一般に、三つ折りのウェットティッシュ、例えば図１０や図１１に示すようなウェットティッシュの積層体は、製造時の折り曲げ加工において寸法に狂いが生じ易い。それに対して、図３に示す本発明のウェットティッシュの積層体３０を構成するウェットティッシュ１１は、折り畳まれる前のウェットティッシュの中心と、折り畳まれた後のウェットティッシュ１１の中心とが一致する。すなわち、中央線が折り畳む前後で変わらないため、折り畳み工程への紙材の供給経路において幅方向へのずれが生じにくく、ブレードにより折り曲げ部を正確に且つ簡単に調整することができる。よって、折り曲げ時の寸法が正確になる。
【００３２】
したがって、本発明のウェットティッシュの積層体３０は、従来の三つ折りのウェットティッシュの積層体に比べて製造方法が簡単で、且つ得られる積層体が全体として均一なものとなる。すなわち、端部において重なる面積をほぼ均一にすることができるので、突出量のばらつきが少ない。
【００３３】
ところで、積層されたウェットティッシュは液体を介してお互いに面接触している。そして、その介在する液体の表面張力により、ウェットティッシュどうしはかなり強く密着している。ウェットティッシュが液体を介在して面接触するときの密着力（係合力）は、ティッシュ表面の面の粗さ、表面の繊維の親水度や保水度の違いによって影響を受ける。
【００３４】
例えばスパンレース不織布では、ウォータージェット（繊維を交絡させるための水流）が直接当たる面は比較的なめらかな滑りのよい面（密着力、係合力が低い面）となり、その裏側の面は繊維が毛羽立って滑りの悪い面（密着力、係合力の高い面）となる。これは、湿式抄紙工程により抄紙されたウェットティッシュにおいても同じであり、抄紙工程において円網や傾斜ワイヤーに面する側が粗い面（密着力、係合力の高い面）となる。
【００３５】
また、例えばウェットティッシュを構成する不織布が、疎水性繊維が比較的多く含有されている面と、親水性繊維が比較的多く含有されている面とをもつ不織布で構成される場合がある。この場合、疎水性繊維が多く配置される面は水分を保持しにくく、よって液の表面張力による密着性が低下し、接触している他の面に対して比較的密着力（係合力）の低い面となる。その裏面には親水性繊維が多く配置されるが、この面は水分を保持しやすく液の表面張力により密着が生じやすくなり、接触している他の面に対して密着力（係合力）の高い面となる。
【００３６】
図３に示す本発明のウェットティッシュの積層体３０は、密着力の高い面（図２において破線で示す面；符号４１）と密着力の低い面（図２において実線で示す面；符号４０）とをもつウェットティッシュで構成されており、各ウェットティッシュ１１において中間面１３とその折片１２、１４とが面接触している部分で、密着力の高い面（破線で示す面）どうしが互いに対面するように各ウェットティッシュを組み合わされている。
【００３７】
図２では、最上位のウェットティッシュ１１ａにおける中間面１３とその折片１２、１４とは、合わせ部５０Ａ、５０Ｂにおいて密着力の高い面４１どうしが向かい合うようにして接触している。そして、最上位のウェットティッシュ１１ａとこれに続く二番目のウェットティッシュ１１ｂとの間では、最上位のウェットティッシュ１１ａの中間面１３と二番目のウェットティッシュ１１ｂの中間面１３とが、合わせ部５１において密着力の低い面４０と密着力の高い面４１で接触している。また、最上位のウェットティッシュ１１ａと三番目に位置するウェットティッシュ１１ｃとの間では、最上位のウェットティッシュ１１ａの中間面１３と三番目のウェットティッシュ１１ｃの第１の面１２とが、合わせ部５２において密着力の低い面４０どうしで接触している。以下同様にして、複数のウェットティッシュ１１が積層されており、合わせ部５０Ａ，５０Ｂ、５３Ａ，５３Ｂにおけるウェットティッシュどうしの密着力は、合わせ部５１、５２、５４、５５における密着力より強くなっている。
【００３８】
したがって、最上位のウェットティッシュ１１ａを引き出したとき、合わせ部５０Ａ，５０Ｂよりも合わせ部５１、５２の方がウェットティッシュどうしが分離しやすい。したがって、最上位のウェットティッシュ１１ａの中間面１３は、二番目のウェットティッシュ１１ｂの中間面１３並びに三番目のウェットティッシュ１１ｃの第１の折片１２と容易に分離し、且つウェットティッシュ１１ａでは第２の折片１４が中間面１３に密着した状態で取出口３６から引き出される。そのため、二番目のウェットティッシュ１１ｂの第１の折片１２のみが、最上位のウェットティッシュ１１ａの第２の折片１４とともに持ち上げられて、取出口３６から引き出される。
【００３９】
以上のような構成にすると、上位のウェットティッシュを引き出したときに、次に連続するウェットティッシュの第１の折片１２のみが取出口３６から突出し、その突出量が長くなりすぎることがなく且つ安定する。また、上位のウェットティッシュ１１ａの第２の折片１４と中位のウェットティッシュ１１ｂの第１の折片１２とは、密着力の低い面と密着力の高い面との接触になるので、上位のウェットティッシュ１１ａの全てが取出口から引き出された時点で、上位のウェットティッシュ１１ａの第２の折片１４と中位のウェットティッシュ１１ｂの第１の折片１２とが比較的容易に分離する。したがって、ウェットティッシュを取出口３６の外で分離させるときの抵抗力が小さく、ウェットティッシュを引き出すときに容器３５が一緒に持ち上げられるようなことはない。
【００４２】
図５は、本発明のウェットティッシュ製品の他の実施形態を示す断面図である。図５のウェットティッシュ製品は、図３に示した本発明のウェットティッシュの積層体３０を、上下逆にして容器３５に収納させたものである。このように上下逆に容器３５に収納されたものを積層体３１とする。この場合、図３に示した積層体３０において取出口から一番離れた位置にあったウェットティッシュが、図５のウェットティッシュの積層体３１においては取出口３６に面している。すなわち、取出口に最も近いウェットティッシュ１１ｚの中間面１３が取出口３６に対面している。そして、二番目のウェットティッシュ１１ｙの第２の折片１４と中間面１３とを形成する折り返し部１６が、取出口に最も近いウェットティッシュ１１ｚの第１の折片１２と中間面１３との間に挟まれている。以下、同様にして複数のウェットティッシュが積層されている。
【００４３】
このウェットティッシュ製品において、取出口３６に最も近いウェットティッシュ１１ｚを取出口３６から引き出すと、折片１２が取出口側へと持ち上げられるときに、二番目のウェットティッシュ１１ｙの折片１４と中間面１３のほぼ右側半分とが一緒に持ち上げられて取出口３６から突出する。
【００４４】
このとき、図６に示すように、端部１８は容器３５内に取り残され、二番目のウェットティッシュ１１ｙの折り返し部１６が頂点となるようにして、ループ状にウェットティッシュが突出する。このとき、突出量はティッシュの幅寸法のほぼ１／４となる。また、ウェットティッシュが突出した部分は、ループ状となり見た目に美しいものとなる。
【００４５】
また、図５に示すウェットティッシュの積層体３１は密着力の高い面と低い面とをもつスパンレース不織布などで構成されており、ウェットティッシュの中間面１３と折片１２、１４とが面接触している部分で、密着力の高い面４１どうしが互いに対面するように組み合わされている。このときの密着力の高い面４１と低い面４０の組み合わせ方は、図２及び図３に示したウェットティッシュの積層体３０と同じである。
【００４６】
この場合、取出口に最も近いウェットティッシュ１１ｚの折片１２と、三番目のウェットティッシュ１１ｘの中間面１３とは、密着力の低い面どうしの接触となる。よって、ウェットティッシュ１１ｚを引き出したとき、ウェットティッシュ１１ｚは、容易に三番目のウェットティッシュと分離する。また、ウェットティッシュ１１ｙの折片１４と中間面１３とは、密着力の高い面４１どうしが対面する。よって、ウェットティッシュ１１ｚを引き出したとき、二番目のウェットティッシュ１１ｙは折片１４と中間面１３とが密着した状態で取出口３６からループ状に突出する。さらに、ウェットティッシュ１１ｚは取出口３６から出た時点では、ウェットティッシュ１１ｚの中間面１３及び第１の折片１２と、ウェットティッシュ１１ｙの第２の折片１４及び中間面１３とは、密着力の低い面と密着力の高い面との接触なので、ウェットティッシュ１１ｚはウェットティッシュ１１ｙと比較的容易に分離する。
【００４８】
また、ウェットティッシュをループ状に突出させる方法においては、ウェットティッシュの端部１８が容器３５内に確実に取り残されるように、ウェットティッシュの重なり部分の距離を調整することが好ましい。例えば、上位のウェットティッシュの折片１２より、次に連続するウェットティッシュの折片１４の長さが、中央部分に向かって長いことが好ましい。
【００４９】
図５に示すウェットティッシュの積層体３１では、取出口に最も近いウェットティッシュ１１ｚの端部１７の位置が、二番目のウェットティッシュ１１ｙの端部１８の位置から、間隔４７だけ離れている。ウェットティッシュ１１ｚを引き出すと、二番目のウェットティッシュ１１ｙの折片１４と中間面１３は、ウェットティッシュ１１ｚの端部１７より左側に位置する部分（太線で示す）のみ取出口から突出する。すなわち、ウェットティッシュ１１ｙは端部１８から間隔４７の部分が容器内に取り残され、突出部は必ずループ状になる。突出部を必ずループ状にするために、間隔４７の長さは３ｍｍ以上が好ましい。また、さらに好ましくは５ｍｍ以上である。
【００５０】
図５に示すウェットティッシュの積層体３１を容器又は包装体に収納して製品として販売する場合、未使用の製品を使用者が初めて使用するときに第一枚目のウェットティッシュを引き出しやすくするために、取出口に面する第一枚目のウェットティッシュのみを図１に示すウェットティッシュ１１とは違う形状に折り畳んでもよい。例えば、ウェットティッシュの端部１８又は折り返し部１６が取出口に面するようにすればよい。第一枚目を取り出した後は、順次に連続するウェットティッシュがループ状に突出する。
【００５１】
ウェットティッシュ１１は天然繊維及び／又は合成繊維からなる不織布や紙である。例えばポリエチレンやポリプロピレンを用いた、湿潤強度の高いスパンレース不織布である。ウェットティッシュ１１の大きさは、例えば１５０×２００ｍｍ程度のものを使用することができる。ただし、容器又は包装体の大きさによって適宜大きさは変えられる。ウェットティッシュ１１には水、アルコール、保湿剤、界面活性剤、香料、防腐剤、防黴剤、などが含浸されている。
【００５２】
容器３５は、ポリエチレン、ポリプロピレンなどの合成樹脂で形成された比較的硬質なものである。取出口３６には、突出したウェットティッシュを乾燥させないため、容器全体を密封できるように蓋体が形成されることが好ましい。また、硬質な容器３５の代わりに、不透液性のフィルムで形成される包装体を用いてウェットティッシュの積層体を収納してもよい。その他、本発明のウェットティッシュの積層体が収納された包装体をさらに硬質な容器に収納して使用する、いわゆる詰め換え方式で使用されることもできる。
【００５３】
以上、本発明のウェットティッシュの積層体３０においては、積層体を構成するウェットティッシュ１１の折片の幅寸法がほぼ１／４である実施例を述べたが、折り曲げ部を端部から１／５程度離れた位置に形成したウェットティッシュによって構成することもできる。この場合、ウェットティッシュの突出量が、ティッシュの幅寸法のほぼ１／５とさらに少なくなる。
【００５４】
また、本発明のウェットティッシュの積層体においては、折り曲げ時に製造上の多少のばらつきが出るものがあってもかまわない。ウェットティッシュの積層体３０を構成するウェットティッシュ１１の折り返し部は、常に端部から正確に１／４又は１／５の位置ではなく、それ以下若しくは１／４や１／５程度となることはありうる。
【００５５】
また、本発明のウェットティッシュの積層体においては、折り返し部の位置を調整することによって、その突出量を用途に応じたものに調整することができる。したがって、折り返し部の位置は端部から１／４や１／５でなくてもかまわない。例えば１／３や１／６に位置していても良い。ただし、一般に使用されるウェットティッシュの突出量としては１／４以下であることが好ましい。また、折り返し部の位置は端部から１／４の場合、ウェットティッシュの積層体においてウェットティッシュの各折片が左右均等に分配されて、折り畳まれたウェットティッシュの端部と中央部付近での積層体の厚さが一定になる。すなわち、積層体の形が整ったものとなり、見た目にも美しい。
【００５６】
【発明の効果】
以上詳述したように、本発明のウェットティッシュの積層体は、ウェットティッシュを引き出したときに、次に連続するウェットティッシュを確実に突出させることができる。そしてその突出量をウェットティッシュの約１／４や約１／５以下など、少ない量に調整することができる。そして、本発明のウェットティッシュの積層体は全体として厚みが薄くなる。
また、本発明のウェットティッシュ積層体は、折り目寸法のばらつきが少なく、製品として安定したものを供給することができる。
【００５７】
さらに、本発明のウェットティッシュ製品は取出口を設ける場所を変えることによって、ウェットティッシュの突出をループ状にすることができ、見た目に美しいウェットティッシュ製品となる。
【図面の簡単な説明】
【図１】（Ａ）（Ｂ）は本発明のウェットティッシュの積層体のウェットティッシュの折り畳み方を示す斜視図
【図２】ウェットティッシュの組み合わせ構造を説明する断面図
【図３】本発明のウェットティッシュ製品の断面図
【図４】本発明のウェットティッシュ製品の斜視図
【図５】本発明のウェットティッシュ製品の他の実施形態の断面図
【図６】ウェットティッシュの突出を説明する断面図
【図７】（Ａ）（Ｂ）（Ｃ）は、従来のウェットティッシュの積層体を構成するウェットティッシュの折り畳み方を示す斜視図
【図８】（Ａ）（Ｂ）は、従来のウェットティッシュの積層体を構成するウェットティッシュの折り畳み方を示す斜視図
【図９】従来のウェットティッシュの積層体を示す断面図
【図１０】従来のウェットティッシュの積層体を示す断面図
【図１１】従来のウェットティッシュの積層体を示す断面図
【符号の説明】
１１  ウェットティッシュ
１２  ウェットティッシュの第１の折片
１３  ウェットティッシュの中間面
１４  ウェットティッシュの第２の折片
１５、１６  折り返し部
１７  ウェットティッシュの第１の端部
１８  ウェットティッシュの第２の端部
３０、３１  ウェットティッシュの積層体
３５  容器
３６  取出口
４０  密着力の低い面
４１  密着力の高い面
４７  間隔
５０Ａ、５０Ｂ、５１、５２、５３Ａ、５３Ｂ、５４、５５  合わせ部
【図１】
0003838788.tif 000002
【図２】
0003838788.tif 000003
【図３】
0003838788.tif 000004
【図４】
0003838788.tif 000005
【図５】
0003838788.tif 000006
【図６】
0003838788.tif 000007
【図７】
0003838788.tif 000008
【図８】
0003838788.tif 000009
【図９】
0003838788.tif 000010
【図１０】
0003838788.tif 000011
【図１１】
0003838788.tif 000012